(57)【特許請求の範囲】
【請求項１】
カメラ本体を装着可能で、少なくとも外部機器との通信手段と充電手段を備えたクレードル本体と、
該クレードル本体が底部を形成し、前記カメラ本体を格納可能なケース部と、
を有し、前記クレードル本体は前記ケース部の底部に対して装着及び取外し可能であると共に前記充電手段に設けられた電源プラグを建物の壁部のコンセントに装着することで、クレードルを建物の壁部に沿った位置に保持し、前記ケース部の蓋部を開いて撮影することができることを特徴とするカメラ用クレードル。
【発明の詳細な説明】
【０００１】
【発明の属する技術分野】
本発明はカメラ用クレードルに係り、カメラ本体を装着し外部機器との通信、充電を行うカメラ用クレードルに関する。
【０００２】
【従来の技術】
従来、デジタルカメラでは、カメラ本体をクレードルに装着することで、クレードルを介してカメラ本体と外部機器又は充電機器との接続が容易にできるようになっているものがある。
【０００３】
一方、カメラ本体を携帯する場合には、カメラ本体を運搬保護するためのケースを使用している。
【０００４】
【発明が解決しようとする課題】
しかしながら、旅行等にカメラ本体を持って行く場合には、クレードルをケースに収納することができず、クレードルの携帯性が良くない。また、旅先等でカメラ本体と外部機器又は充電機器との接続が必要な場合には、クレードルが無いと不便である。
【０００５】
本発明は上記事実を考慮し、クレードル本体の携帯性を向上できるカメラ用クレードルを提供することを目的とする。
【０００６】
【課題を解決するための手段】
上記目的を達成するため、請求項１に記載の発明のカメラ用クレードルでは、
カメラ本体を装着可能で、少なくとも外部機器との通信手段と充電手段を備えたクレードル本体と、
該クレードル本体が底部を形成し、前記カメラ本体を格納可能なケース部と、
を有、前記クレードル本体は前記ケース部の底部に対して装着及び取外し可能であると共に前記充電手段に設けられた電源プラグを建物の壁部のコンセントに装着することで、クレードルを建物の壁部に沿った位置に保持し、前記ケース部の蓋部を開いて撮影することができることを特徴とする。
【０００７】
従って、クレードル本体が底部を形成するケース部にカメラ本体を格納することで、クレードル本体とカメラ本体との双方を運搬及び保護できるため、クレードル本体の携帯性が向上する。また、クレードル本体にカメラ本体を装着することで、クレードル本体を介してカメラ本体と外部機器又は充電機器との接続が容易にできる。また、クレードル本体はケース部の底部に対して取外し可能である。また、充電手段に設けられた電源プラグを建物の壁部のコンセントに装着することで、クレードルを建物の壁部に沿った位置に保持し、ケース部の蓋部を開いて撮影することができる。
【０００８】
【発明の実施の形態】
本発明に係るカメラ用クレードルの第１実施形態を図１〜図４に従って説明する。
【０００９】
図１に示される如く、本実施形態のクレードル１０は、クレードル本体１２とケース部１４とで構成されており、クレードル本体１２がケース部１４の底部を構成するようになっている。なお、クレードル本体１２はケース部１４の底部に固定しも良く、また、ケース部１４の底部に対して装着及び取外し可能としても良い。
【００１０】
図２に示される如く、クレードル本体１４の保持部１６には、デジタルカメラ等のカメラ本体１８が装着可能となっている。なお、カメラ本体１８における下面には、クレードル本体１２と接続するための、充電端子と、外部機器接続端子としてのＵＳＢ端子とが一体になった複合端子（図示省略）が形成されている。また、カメラ本体１８は、クレードル本体１２の保持部１６に上方から下方（図２の矢印Ａ方向）へ向けて挿入可能となっている。
【００１１】
なお、カメラ本体１８における側面１８Ａの下部には、図示を省略した充電端子と外部機器接続端子としてのＵＳＢ端子とがそれぞれが形成されており、これらの充電端子とＵＳＢ端子は、カメラ本体１８をクレードル本体１２に装着しない場合に使用する。
【００１２】
クレードル本体１２の保持部１６の外周部には、上方に向けて壁部２０が形成されている。なお、壁部２０の内周形状は、カメラ本体１８における下部の外周形状と略一致しており、カメラ本体１８を、クレードル本体１２の保持部１６に挿入した状態では、カメラ本体１８における下面が、常に、保持部１６における底部の決められた位置に当接するようになっている。
【００１３】
また、クレードル本体１２における側面１２Ａの下部には、充電端子２４と外部機器接続端子としてのＵＳＢ端子２６とがそれぞれが形成されている。
【００１４】
図１に示される如く、クレードル１０のケース部１４は、バック型となっており、箱形状とされた本体部３０の上側開口部３２を通してクレードル本体１２及びカメラ本体１８を出し入れできるようになっている。また、クレードル１０のケース部１４における本体部３０の後壁部３０Ａからは、上側開口部３２を閉塞する蓋部３４が延設されており、蓋部３４の先端に形成された係合孔３６が、本体部３０の前壁部３０Ｂの下部に配設された係合部３８に係合可能となっている。従って、係合孔３６を係合部３８に係合することで、蓋部３４を閉状態（図１の状態）に保持できるようになっている。
【００１５】
クレードル１０のケース部１４における本体部３０の側壁部３０Ｃの下部には、矩形状の切欠４０が形成されており、この切欠４０は、クレードル本体１２の充電端子２４とＵＳＢ端子２６とに対向している。従って、切欠４０を通して、クレードル本体１２の充電端子２４に充電コード４４を、ＵＳＢ端子２６にＵＳＢコード４６を接続可能になっている。
【００１６】
また、クレードル１０のケース部１４における本体部３０の側壁部３０Ｃには、カバー４８が配設されている。このカバー４８は上端縁部が側壁部３０Ｃに固定されたおり、充電コード４４またはＵＳＢコード４６を接続しない状態では、切欠４０を覆うようになっている。なお、カバー４８の先端部と本体部３０の側壁部３０Ｃには、カバー４８を閉状態に保持する保持部材４９が配設されている。
【００１７】
図３に示される如く、蓋部３４の先端に形成された係合孔３６は、本体部３０の後壁部３０Ａの下部に配設された係合部５０に係合可能となっており、係合孔３６を係合部５０に係合することで、蓋部３４を開状態（図３の状態）に保持できるようになっている。
【００１８】
次に、本実施形態の作用を説明する。
【００１９】
本実施形態では、クレードル本体１２が底部を形成するケース部１４にカメラ本体１８を格納することで、クレードル本体１２とカメラ本体１８との双方を運搬及び保護できるため、クレードル本体１２の携帯性が向上する。
【００２０】
また、本実施形態では、カメラ本体１８をクレードル本体１２の保持部１６に装着することで、カメラ本体１８の充電端子とＵＳＢ端子とが一体になった複合端子をクレードル本体１２の保持部１６に形成された充電端子とＵＳＢ端子とが一体になった複合端子接続部に自動的に接続することができる。クレードル本体１２を介してカメラ本体１８と充電コード４４またはＵＳＢコード４６を容易に接続できる。
【００２１】
次に、本発明に係るカメラ用クレードルの第２実施形態を図５及び図６に従って説明する。
【００２２】
なお、第１実施形態と同一部材は、同一符号を付してその説明を省略する。
【００２３】
図５に示される如く、本実施形態では、クレードル本体１２の後部１２Ｂの左右方向中央部に回転可能な電源プラグ６０が配設されている。また、この電源プラグ６０と対向するクレードル１０のケース部１４における本体部３０の後壁部３０Ａの下部には、矩形状の切欠４０が形成されている。なお、切欠４０は図示を省略したカバーによって閉塞可能となっている。
【００２４】
電源プラグ６０は、図５に示される格納位置と図６に示される使用位置とに回転可能となっており、図６に示す使用位置とすることで、コンセント６４に装着可能となっている。また、電源プラグ６０をコンセント６４に装着することで、クレードル１０を建物の壁部６６に沿った位置に保持することができるようになっている。
【００２５】
次に、本実施形態の作用を説明する。
【００２６】
本実施形態では、第１実施形態と同様な作用効果が得られると共に、図６に示される如く、電源プラグ６０をコンセント６４に装着することで、クレードル１０を建物の壁部６６に沿った位置に保持したまま、カメラ本体１８を充電できるため、充電中にカメラ本体１８及びクレードル１０が邪魔にならない。
【００２７】
また、三脚を使用する代わりに、電源プラグ６０をコンセント６４に装着し、図６に二点鎖線で示されるように、蓋部３４を開いて撮影することもできる。
【００２８】
なお、本実施形態では、クレードル本体１２に回転可能な電源プラグ６０が配設したが、これに代えて、図７に示される如く、ケース部１４側に電源プラグ６０を配設し、クレードル本体１２側の電源端子６６が、電源プラグ６０側のコネクタ６８に着脱可能な構成としても良い。
【００２９】
以上に於いては、本発明を特定の実施形態について詳細に説明したが、本発明はかかる実施形態に限定されるものではなく、本発明の範囲内にて他の種々の実施形態が可能であることは当業者にとって明らかである。例えば、第１実施形態において、充電コード４４またはＵＳＢコード４６とショルダーベルトを兼用して、クレードル１０のケース部１４における本体部３０の側壁部３０Ｃに配設されたショルダーベルト取付部７０に充電コード４４またはＵＳＢコード４６を連結できる構成としても良い。また、係合孔３６と係合部３８に代えて他の係合手段を使用しても良い。
【００３０】
【発明の効果】
本発明は、上記構成としたので、請求項１に記載の発明では、クレードル本体の携帯性を向上できるという優れた効果を有する。また、クレードル本体はケース部の底部に対して取外し可能であるという優れた効果を有する。また、クレードルを建物の壁部に沿った位置に保持し、ケース部の蓋部を開いて撮影することができるという優れた効果を有する。
【図面の簡単な説明】
【図１】本発明の第１実施形態に係るカメラ用クレードルの蓋部を閉じた状態を示す斜視図である。
【図２】本発明の第１実施形態に係るカメラ用クレードルのクレードル本体を示す斜視図である。
【図３】本発明の第１実施形態に係るカメラ用クレードルの蓋部を開いた状態を示す側面図である。
【図４】本発明の第１実施形態に係るカメラ用クレードルの蓋部を閉じ、コードを接続した状態を示す斜視図である。
【図５】本発明の第２実施形態に係るカメラ用クレードルの蓋部を閉じた状態を示す斜視図である。
【図６】本発明の第２実施形態に係るカメラ用クレードルの蓋部を閉じた状態を示す側断面図である。
【図７】本発明の第２実施形態の変形例に係るカメラ用クレードルの蓋部を閉じた状態を示す側断面図である。
【符号の説明】
１０    クレードル
１２    クレードルのクレードル本体
１４    クレードルのケース部
１８    カメラ本体
２４    充電端子
２６    ＵＳＢ端子
３０    ケース部の本体部
３４    ケース部の蓋部
【図１】
0003860455.tif 000002
【図２】
0003860455.tif 000003
【図３】
0003860455.tif 000004
【図４】
0003860455.tif 000005
【図５】
0003860455.tif 000006
【図６】
0003860455.tif 000007
【図７】
0003860455.tif 000008